(57)【特許請求の範囲】
【請求項１】
屋根の棟に沿って設けられる棟部材と、屋根面に配置される太陽エネルギー利用パネルとの間から雨水等の水の浸入を防止するために、前記太陽エネルギー利用パネルおよび前記棟部材の間に設けられる雨押さえ部材の取付構造であって、前記太陽エネルギー利用パネルの上端縁に隣接するように取付部材が設けられ、この取付部材の上端縁側には、前記棟部材との間に介装された前記雨押さえ部材の一端縁が接合され、前記雨押さえ部材の他端縁には、前記太陽エネルギー利用パネルの上端縁を覆うカバー部と、前記取付部材の下端縁側に掛止される掛止部が設けられ、
前記取付部材の下端縁側には、前記太陽エネルギー利用パネルの枠部が設けられ、当該枠部には上方が開口された樋部が設けられており、前記取付部材には、前記樋部に対向する位置に水切り部が突設され
ていることを特徴とする雨押さえ部材の取付構造。
【請求項２】
請求項１に記載の雨押さえ部材の取付構造において、前記取付部材は、断面の一部が略コ字形状に形成された溝形部を有し、この溝形部に上方が開口された樋部が形成されていることを特徴とする雨押さえ部材の取付構造。
【請求項３】
請求項１または請求項２に記載の雨押さえ部材の取付構造において、前記取付部材には、前記太陽エネルギー利用パネル側に開口された溝形状の被掛止部が形成され、前記雨押さえ部材の他端縁側が折り曲げられ、その先端が前記被掛止部に掛止される掛止部となっていることを特徴とする雨押さえ部材の取付構造。
【請求項４】
請求項１ないし請求項３のいずれかに記載の雨押さえ部材の取付構造において、
前記水切り部は、前記取付部材に一体に形成されていることを特徴とする雨押さえ部材の取付構造。
【発明の詳細な説明】
【０００１】
【発明の属する技術分野】
本発明は、雨押さえ部材の取付構造に係り、特に、屋根の棟に沿って設けられる棟部材と、屋根面に配置される太陽エネルギー利用パネルとの間に設けられる雨押さえ部材の取付構造に関するものである。
【０００２】
【背景技術】
従来より、太陽光を電気に変換して太陽エネルギーとして利用する太陽電池パネルや、太陽熱（放射熱）を収集して温水として利用する太陽熱コレクタ等の太陽エネルギー利用パネルがある。このようなパネルを住宅等の屋根の傾斜面に沿って上下左右に複数枚設置することにより、太陽エネルギー利用屋根が構成されている。
【０００３】
このうち、太陽電池パネルは、屋根に設置するに当たり、水による漏電等の事故を未然に防止するため、太陽電池である所定枚数のソーラーセルを平板状の完全防水ケースの内部に収め、この防水ケースの周りに四角枠状のフレームを設け、このフレームを屋根の傾斜方向に沿って設けられた支持用レール部材を介して屋根に付けられている（特開平１０−１６９１２７号公報等参照）。このような取付構造は、太陽熱コレクタにも応用できる。
【０００４】
このような太陽エネルギー利用パネルが設けられた屋根の棟側には、図５に示すように、屋根１２０の棟に沿って棟部材１００が設けられ、この棟部材１００と、太陽エネルギー利用パネル１０１との間に雨水等の水の浸入を防止するための雨押さえ部材１０２が設けられている。
【０００５】
この際、雨押さえ部材１０２は、その一端縁側が野地板１０３上に設けられた板状の上縁支持材１１０と棟部材１００との間に配置されるとともに、当該上縁支持材１１０にビス等で接合されている。雨押さえ部材１０２の他端縁側は、太陽エネルギー利用パネル１０１の上端側の上方まで延び、支持用レール部材１０４上に設けられた下縁支持材１１１により固定されている。
下縁支持材１１１は、支持用レール部材１０４上で太陽エネルギー利用パネル１０１の上端縁に隣接する基部１１１Ａと、基部１１１Ａから太陽エネルギー利用パネル１０１へ向かって延びる下地材１１１Ｂとを備えたものである。
下地材１１１Ｂの軒先側の先端は、太陽エネルギー利用パネル１０１の上端縁にシール剤１１２で接着されるとともに、雨押さえ部材１０２の軒先側の先端に設けられた鉤状の掛止部１０２Ａを掛止している。
【０００６】
【発明が解決しようとする課題】
このような雨押さえ部材の取付構造では、棟側の太陽エネルギー利用パネルを交換するために、当該太陽エネルギー利用パネルの上端縁に固定されている雨押さえ部材および下地材を取り外す必要がある。そして、雨押さえ部材を取り外すには、雨押さえ部材と上縁支持材との接合を解除しなければならないので、太陽エネルギー利用パネルの交換作業が煩雑になるという問題がある。
また、従来では、雨押さえ部材を設けるのに、上縁支持材および下縁支持材を利用しなければならず、部品点数が多いため、雨押さえ部材の取付作業が煩雑になるという問題もある。
【０００７】
本発明の目的は、雨押さえ部材の取付作業を容易に行うことができ、棟側の太陽エネルギー利用パネルを容易に交換できる雨押さえ部材の取付構造を提供することにある。
【０００８】
【課題を解決するための手段】
本発明は、図面を参照して説明すると、屋根１３の棟に沿って設けられる棟部材１５と、屋根面１４Ａに配置される太陽エネルギー利用パネル（例えば、太陽電池パネル２１）との間から雨水等の水の浸入を防止するために、太陽エネルギー利用パネルおよび棟部材１５の間に設けられる雨押さえ部材６０の取付構造であって、太陽エネルギー利用パネルの上端縁に隣接するように取付部材７０が設けられ、この取付部材７０の上端縁側には、棟部材１５との間に介装された雨押さえ部材６０の一端縁が接合され、雨押さえ部材６０の他端縁には、太陽エネルギー利用パネルの上端縁を覆うカバー部６３と、取付部材７０の下端縁側に掛止される掛止部６２が設けられ、取付部材７０の下端縁側には、太陽エネルギー利用パネルの枠部（例えば、上枠部２５）が設けられ、当該枠部には上方が開口された樋部５３が設けられており、取付部材７０には、樋部５３に対向する位置に水切り部７３が突設されていることを特徴とする。
このような本発明では、雨押さえ部材を設けるにあたり、雨押さえ部材を取付部材以外の部材に接合する、あるいは、係合させる必要がなく、雨押さえ部材の取り付けに従来関与していた上縁支持材や下縁支持材が不要となるので、雨押さえ部材の取り付けに要する部品点数が少なくなり、雨押さえ部材の取付作業が容易となる。また、取付部材および太陽エネルギー利用パネルは、単に隣接しているだけで、互いに接合されていないうえ、雨押さえ部材の他端縁は、取付部材の下端縁側に掛止された状態で太陽エネルギー利用パネルの上端部分を覆うだけで、太陽エネルギー利用パネルに接合されていない。これにより、太陽エネルギー利用パネルを取り外すにあたり、雨押さえ部材等を取り外す必要がなくなり、雨押さえ部材等を取り外さなくても太陽エネルギー利用パネルを交換することが可能となり、太陽エネルギー利用パネルの交換作業を容易に行うことが可能となる。
しかも、樋部の開口と水切り部とが対向するように配置しているから、取付部材と太陽エネルギー利用パネルとの隙間から浸入した雨水等の水が水切り部によって確実に樋部に導入され、屋根の防水が充分に確保される。
【０００９】
以上において、取付部材７０は、断面の一部が略コ字形状に形成された溝形部７１を有し、この溝形部７１に上方が開口された樋部７１Ａが形成されていることが好ましい。
このように、取付部材に樋部が形成されていれば、仮に取付部材の上端縁側と雨押さえ部材の一端縁との接合部分から取付部材の内部に雨水等の水が浸入したとしても、樋部で雨水等を受けて排水することが可能となり、屋根の防水性能を向上させることが可能となる。
【００１０】
また、取付部材７０には、太陽エネルギー利用パネル側に開口された溝形状の被掛止部７２が形成され、雨押さえ部材６０の他端縁側が折り曲げられ、その先端が被掛止部７２に掛止される掛止部６２となっていることが望ましい。
このようになっていれば、雨押さえ部材を設ける際、当該雨押さえ部材を太陽エネルギー利用パネル側から棟部材に向かって持ち上げ、掛止部を取付部材の被掛止部に係止し、この状態で雨押さえ部材の一端縁を取付部材の上端縁側に接合することで雨押さえ部材を設けることが可能となる。これにより、雨押さえ部材の取付作業がより一層容易になる。
【００１２】
また、水切り部７３は、取付部材７０に一体に形成されていることが望ましい。このように、水切り部を取付部材に一体に形成すれば、押出成形等で簡単に製造することが可能となる。
【００１３】
【発明の実施の形態】
以下に本発明の実施の形態を図面に基づいて説明する。
図１には、本発明の一実施形態に係る建物１０が示されている。
この建物１０の屋根１３は、棟の両側に傾斜面が形成された切り妻状の屋根であり、複数の屋根パネル１４と、屋根材となる複数の太陽エネルギー利用パネルである太陽電池パネル２１と、棟に沿って取り付けられる棟部材１５と、切り妻屋根の妻側端縁に取り付けられるけらば部材１６と、軒先１３Ａ端縁に沿って取り付けられる軒先部材１７とを備えた太陽電池屋根１３とされている。
【００１４】
太陽電池パネル２１は、複数の屋根パネル１４によって形成される屋根面１４Ａに、その傾斜面に沿って上下左右に配列されている。
各太陽電池パネル２１は、図２に示すように、太陽光で発電を行う所定枚数のソーラーセルを収めた平板状の完全防水ケース２２と、このケース２２の周りを囲む四角枠状のフレーム２３とを備えている。
フレーム２３は、屋根１３の傾斜方向に沿って左右に配置される２本の縦枠部２４と、これら縦枠部２４の上下端を接続し、かつ、屋根１３の桁方向に沿って配置されている上枠部２５および下枠部２６とを備えて形成されている。
これらの縦枠部２４、上枠部２５および下枠部２６によって、太陽電池パネル２１全体の防水および補強がなされ、雨水による漏電および短絡等の事故ならびに太陽電池パネル２１の表面に加わる荷重等からソーラーセルが保護されるようになっている。
【００１５】
このような太陽電池パネル２１は、図３に示すように、左右の縦枠部２４が屋根１３の傾斜方向に沿って野地板１４Ｂ上に取り付けられた一対のレール状の支持用レール部材３１に固定されている。
支持用レール部材３１は、太陽電池パネル２１の縦枠部２４を受けるパネル受部３２と、このパネル受部３２を支持し、屋根面１４Ａの野地板１４Ｂ上にビス８０で固定されるパネル支持部３３とから形成されている。
また、各太陽電池パネル２１間には、隙間を覆うカバー材４１が設けられている。
パネル受部３２には、例えばビス８０等で太陽電池パネル２１の縦枠部２４が固定されているとともに、パネル受部３２の長手方向に沿った両端には、止水部３２Ａが形成されている。太陽電池パネル２１とカバー材４１との間から浸入してきた雨水等の水は、前述した止水部３２Ａで野地板１４Ｂ上に落ちないようになっている。
また、パネル支持部３３は、その内部が中空の樋状に形成されている。
【００１６】
カバー材４１と縦枠部２４との間から浸入する雨水等の水は、パネル受部３２の上面を伝って軒先１３Ａから排出されるようになっている。
縦枠部２４をパネル受部３２に固定するビス８０の孔を伝ってパネル支持部３３の内部に浸入した雨水等の水は、パネル支持部３３を通して軒先１３Ａから排出できるようになっている。
ここで、野地板１４Ｂは、合板等の面材であり、表面にアスファルトルーフィング等のシート材１４Ｃが貼り付けられている。
【００１７】
屋根面１４Ａに上下に配列された太陽電池パネル２１のうち、最上位置となる棟に面する太陽電池パネル２１と、棟部材１５との間には、図４に示すように、棟部材１５および太陽電池パネル２１の間から雨水等の水の浸入を防止するために、雨押さえ部材６０が設けられている。
【００１８】
雨押さえ部材６０は、一端縁とされる棟部材１５の内部に延出された平面部６１と、太陽電池パネル２１側（他端縁）の端部が折り曲げられて形成された掛止部６２と、その折曲部分に形成された太陽電池パネル２１の上端縁を覆うカバー部６３とを備えて、棟部材１５に沿って長尺状に形成されており、この雨押さえ部材６０は、その下方に設けられた取付部材７０だけで支持されている。
【００１９】
取付部材７０は、略コ字形状に形成され、上方が開口された樋部７１Ａを有する溝形部７１と、この溝形部７１の側面上部から外側に（斜め下側）に向かって水平に突出し、かつ、太陽電池パネル２１側に開口された溝形状の被掛止部７２と、この被掛止部７２の下面に突設された水切り部７３とを備え、アルミの押出成形により一体形成された長尺部材である。この取付部材７０は、当該取付部材７０の高さ位置を調節するスペーサ９０を介し、太陽電池パネル２１の上端縁つまり上枠部２５に隣接するように、支持用レール部材３１上に設けられている。
詳しくは、雨押さえ部材６０は、その平面部６１が棟部材１５と取付部材７０の棟側（上端縁側）の溝形部７１の上面との間に介装され、当該溝形部７１にビス８０で接合されているとともに、掛止部６２が取付部材７０の太陽電池パネル２１側（下端縁側）の被掛止部７２に、その先端が挿入されて掛止されている。
【００２０】
太陽電池パネル２１の上枠部２５は、断面口形の本体５１と、この本体５１の下部から外側（斜め上側）へ向けて設けられた断面Ｌ字形の当接片５２とを備え、アルミの押出成形により一体形成された長尺部材である。
本体５１の端部と当接片５２とによって、上方が開口された溝形の樋部５３が形成されている。
この際、太陽電池パネル２１の上方に設置された取付部材７０の水切り部７３は、当該太陽電池パネル２１の上枠部２５の樋部５３の開口と対向する位置に設けられている。
これら雨押さえ部材６０および取付部材７０と、太陽電池パネル２１とは、単に隣接しているだけで、互いに接合されてはいない。
【００２１】
太陽電池屋根１３は、次のように形成される。
まず、工場において、支持用レール部材３１や太陽電池パネル２１、雨押さえ部材６０、取付部材７０等を製造し、建築現場に搬送する。
現場では、屋根面１４Ａに支持用レール部材３１を屋根１３の傾斜方向に沿って上下に複数配置し、これらの支持用レール部材３１の上に太陽電池パネル２１の両端縁（縦枠部２４）を支持させて配置する。このようにして、太陽電池パネル２１を屋根面１４Ａに上下左右に配列し、太陽電池屋根１３を形成する。
この際、屋根面１４Ａに上下に配列された太陽電池パネル２１のうち、最上位置となる棟に面する太陽電池パネル２１と、棟部材１５との間に設ける雨押さえ部材６０は、取付部材７０を設けた後、当該雨押さえ部材６０を太陽電池パネル２１側から棟部材１５に向かって持ち上げ、取付部材７０の溝形部７１と棟部材１５との間に雨押さえ部材６０の平面部６１を介装するとともに、雨押さえ部材６０の掛止部６２を取付部材７０の被掛止部７２に掛止し、その状態で、雨押さえ部材６０の平面部６１を溝形部７１に接合して取り付ける。
【００２２】
また、屋根面１４Ａに上下に配列された太陽電池パネル２１のうち、最上位置に配置された太陽電池パネル２１を交換するために取り外すには、まず、当該太陽電池パネル２１の下枠部２６を持ち上げ、上枠部２５を、その当接片５２が取付部材７０の水切り部７３に接触しないように軒先１３Ａ側に引くことで、太陽電池パネル２１を取り外すことができる。
【００２３】
このような本実施形態によれば、次のような効果が得られる。
すなわち、雨押さえ部材６０は、取付部材７０のみで支持されているため、雨押さえ部材６０を設けるにあたり、雨押さえ部材６０を取付部材７０以外の部材に接合する、あるいは、係合させる必要がなく、雨押さえ部材６０の取り付けに従来関与していた上縁支持材や下縁支持材が不要となり、雨押さえ部材６０の取り付けに要する部品点数が少なくなるので、雨押さえ部材６０の取付作業を容易に行うことができる。
また、取付部材７０および太陽電池パネル２１は、単に隣接しているだけで、互いに接合されていないうえ、雨押さえ部材６０の他端縁は、当該他端縁に形成された掛止部６２で取付部材７０の下端縁側に形成された被掛止部７２に掛止された状態で太陽電池パネル２１の上端部分を覆うだけで、太陽電池パネル２１に接合されていない。これにより、太陽電池パネル２１を取り外すにあたり、雨押さえ部材６０等を取り外す必要がなくなり、雨押さえ部材６０等を取り外さなくても太陽電池パネル２１を交換することができ、太陽電池パネル２１の交換作業を容易に行うことができる。
【００２４】
また、取付部材７０の溝形部７１に樋部７１Ａが形成されているので、仮に取付部材７０の溝形部７１の上面と雨押さえ部材６０の平面部６１とを接合したビス８０の孔部分から取付部材７０の内部に雨水等の水が浸入したとしても、樋部７１Ａで雨水等を受けて排水することができ、屋根１３の防水性能を向上させることができる。
【００２５】
さらに、取付部材７０の被掛止部７２に、雨押さえ部材６０の掛止部６２を掛止することで、簡単に雨押さえ部材６０を設けることができるので、雨押さえ部材６０の取付作業をより一層容易に行うことができる。
【００２６】
また、太陽電池パネル２１の上枠部２５に形成される樋部５３の開口と、取付部材７０の水切り部７３とが対向するように配置されていれば、取付部材７０と太陽電池パネル２１との隙間から浸入した雨水等の水が水切り部７３によって確実に樋部５３に導入され、屋根１３の防水を充分に確保できる。
【００２７】
さらに、水切り部７３を取付部材７０に一体に形成しているので、押出成形等で簡単に製造することができる。
【００２８】
なお、本発明は前記実施の形態に限定されるものではなく、本発明の目的を達成できる他の構成等を含み、以下に示すような変形等も本発明に含まれる。
例えば、前記実施形態では、水切り部７３は取付部材７０に一体に形成されていたが、これに限らず、例えば、別々に形成した水切り部７３、溝形部７１および被掛止部７２を組み合わせて取付部材７０を形成してもよい。
【００２９】
また、取付部材７０の水切り部７３の位置としては、その下方に設置された太陽電池パネル２１の上枠部２５の樋部５３の開口と対向する位置に限らず、水切り部７３によって、雨水が樋部５３に落とされる位置に水切り部７３があればよい。
【００３０】
さらに、取付部材７０の下端縁に、雨押さえ部材６０の他端縁を掛止する掛止構造としては、前記実施形態のような構造に限らず、例えば、雨押さえ部材６０の他端縁の下面に下方に突設する掛止部を形成し、この掛止部を掛止するような被掛止部を取付部材７０に設けた構造でもよい。
【００３１】
また、取付部材７０としては、断面コ字形の溝形部７１が形成されていなくてもよく、例えば、その部分が角柱状に形成されていてもよい。
【００３２】
また、前記実施形態では、太陽電池パネル２１について説明したが、太陽エネルギー利用パネルとしてはこれに限らず、例えば、内部に流水する水を太陽熱で熱して温水とする太陽熱コレクタ等でもよい。
【００３３】
また、建物としては、箱状に形成された建物ユニットを複数組み合わせたユニット式建物や、板状に形成された壁パネルおよび床パネルを複数組み合わせたパネル方式のプレハブ建物や、柱および梁等の軸組材を建築現場で接合する在来工法による建物でもよい。
【００３４】
【発明の効果】
以上に述べたように、本発明の雨押さえ部材の取付構造によれば、雨押さえ部材の取付作業を容易に行うことができ、棟側の太陽エネルギー利用パネルを容易に交換できるという効果がある。
【図面の簡単な説明】
【図１】本発明の一実施形態における建物を示す斜視図である。
【図２】前記実施形態における太陽電池パネルを示す斜視図である。
【図３】図１におけるIII−III線に沿った断面図である。
【図４】図１におけるIV−IV線に沿った断面図である。
【図５】従来の雨押さえ部材の取付構造を示す断面図である。
【符号の説明】
１３  太陽電池屋根
１４Ａ  屋根面
１５  棟部材
２１  太陽エネルギー利用パネルである太陽電池パネル
２５  枠部である上枠部
５３  樋部
６０  雨押さえ部材
６２  掛止部
６３  カバー部
７０  取付部材
７１  溝形部
７１Ａ  樋部
７２  被掛止部
７３  水切り部
【図１】
0004121194.tif 000002
【図２】
0004121194.tif 000003
【図３】
0004121194.tif 000004
【図４】
0004121194.tif 000005
【図５】
0004121194.tif 000006